(57)【要約】【課題】  塵芥を捕集するための粘着剤が衣類や人体の皮膚に残ったとしてもその残留粘着剤が人体に悪影響を及ぼすというおそれがなく、しかも、使用済みの当該粘着シートを焼却処分しても黒煙などの有害成分を発生するおそれのない塵芥捕集用粘着シートを提供する。【解決手段】  台紙１の裏面全体に塵芥を付着させる粘着層２が形成されていて、その粘着層２が水溶性糊の層でなる。台紙１は、紙管３にロール巻きされた引裂き可能な長尺紙であっても、定形の紙片であってもよい。この粘着シートは、床面の塵芥を取り除いたり人体の皮膚に付着した花粉を取り除いたりすることに用い得る。【選択図】        図１
0003124103.tif 000002
【実用新案登録請求の範囲】
【請求項１】
台紙の裏面全体に塵芥を付着させる粘着層が形成されていて、その粘着層が水溶性糊の層でなることを特徴とする塵芥捕集用粘着シート。
【請求項２】
上記台紙がその裏面を外側にして紙管にロール巻きされていて所望長さの紙片に引裂き可能な長尺紙でなり、その長尺紙の重なり部分では当該長尺紙の表面に当該長尺紙の裏面の上記粘着層が剥離可能に粘着している請求項１に記載した塵芥捕集用粘着シート。
【請求項３】
上記台紙が定形の紙片でなり、その紙片の表面に他の紙片でなる上記台紙の裏面の上記粘着層が剥離可能に粘着されている請求項１に記載した塵芥捕集用粘着シート。
【考案の詳細な説明】
【技術分野】
【０００１】
本考案は、塵芥捕集用粘着シート、詳しくは、台紙の裏面全体に粘着層が形成されていて、その粘着層の粘着力を利用して床面や壁面などの塵芥を付着捕集させたり、人体の皮膚や被服などに付着した花粉その他の塵芥を付着捕集させたりすることに用いられる使い捨てタイプの塵芥捕集用粘着シートに関する。
【背景技術】
【０００２】
従来、衣料品などに付着した埃を除去することに用いられる接着シートが公知である（たとえば、特許文献１参照）。この接着シートは、当該接着シートの端の一部に接着剤を塗布しない部分を設けて所定枚数重ね、手で全面を押さえることができる程度の大きさに切って束を作ることができるようになっている。そして、この接着シートによれば、その接着面を衣料品などに押し付けることによって衣料品に付着している埃を接着面側に捕集することができるので、ペットなどの抜け毛などの通常の方法では取り除きにくい埃が付着している衣料品などからその埃を取り去るときに便利に使うことができるものと考えられる。また、人体に付着した花粉や床面などに付着した塵芥などを取り去ることにも同様に使用可能であると考えられる。
【０００３】
一方、一般に塵芥を付着させて捕集することに用いられる塵芥捕集用粘着シートでは、その粘着層として石油系などの有機溶剤に粘着成分を溶解させることにより調製される溶剤タイプの粘着剤が用いられることが多く、しかも、そのような塵芥捕集用粘着シートは使い捨てされるものであって、その処分には焼却などの方法が適用されている。
【０００４】
【特許文献１】実開平６−７５３６５号公報
【考案の開示】
【考案が解決しようとする課題】
【０００５】
しかしながら、上記した溶剤タイプの粘着剤はそれ自体が人体に有害であったり焼却によって黒煙などの有害成分を発生したりすることがある。そのため、溶剤タイプの粘着剤を用いた塵芥捕集用粘着シートを用いて衣類などに付着した塵芥を取り除いたり人体の皮膚に付着した花粉を取り除いたりした場合に、粘着剤が衣類や人体の皮膚に残留したりするとその残留粘着剤が人体に悪影響を及ぼす可能性がある。また、使用済みの上記粘着シートを焼却処分するときに黒煙などの有害成分を発生して環境を汚染する可能性がある。
【０００６】
本考案は以上の状況に鑑みてなされたものであり、塵芥を捕集するための粘着剤が衣類や人体の皮膚に残ったとしてもその残留粘着剤が人体に悪影響を及ぼすというおそれがなく、しかも、使用済みの当該粘着シートを焼却処分しても黒煙などの有害成分を発生するおそれのない塵芥捕集用粘着シートを提供することを目的とする。
【課題を解決するための手段】
【０００７】
本考案に係る塵芥捕集用粘着シートは、台紙の裏面全体に塵芥を付着させる粘着層が形成されていて、その粘着層が水溶性糊の層でなる、というものである。この粘着シートのように、粘着層を水溶性糊の層で形成しておくと、水溶性糊の残留粘着剤が人体に悪影響を及ぼすおそれがなく、また、粘着シートを焼却処分しても黒煙などの有害成分を発生する余地がない。また、人体の皮膚などに付着した粘着剤は湿らせた布などで容易に拭き取ることが可能である。
【０００８】
本考案では、上記台紙がその裏面を外側にして紙管にロール巻きされていて所望長さの紙片に引裂き可能な長尺紙でなり、その長尺紙の重なり部分では当該長尺紙の表面に当該長尺紙の裏面の上記粘着層が剥離可能に粘着している、という形態を採用することが可能であり、また、上記台紙が定形の紙片でなり、その紙片の表面に他の紙片でなる上記台紙の裏面の上記粘着層が剥離可能に粘着されている、という形態を採用することも可能である。そして、前者は、長尺紙を紙管にロール巻きしてなる台紙を室内の床面などの上で転動させることによってその床面などから塵芥を付着捕集させることが可能であり、しかも、長尺紙の塵芥が付着した部分を引き裂いて廃棄し、焼却処分することが可能である。また、後者では、たとえば衣類や人体の皮膚に付着した花粉などの塵芥を取り除くときに便利に使用することが可能であり、塵芥が付着したシートを廃棄し、焼却処分することが可能である。
【考案の効果】
【０００９】
以上のように、本考案に係る塵芥捕集用粘着シートは、その粘着層として、人体に悪影響を与えず、焼却によっても黒煙などの有害成分を発生しない水溶性糊の層を採用したので、従来の溶剤タイプの粘着剤を用いた塵芥捕集用粘着シートに比べて安全性に優れ、しかも、使用済み後の焼却処分によって環境を害することがなくなるという効果が奏される。
【考案を実施するための最良の形態】
【００１０】
図１は本考案に係る塵芥捕集用粘着シートの第１実施形態を示した概略斜視図である。この事例の粘着シートは、室内の床面などから塵芥を捕集するのに適する形態を備えたものであり、一定幅の長尺紙でなる台紙１の裏面全体に粘着層２が形成されていて、その台紙１が裏面を外側にして紙管３にロール巻きされている。また、台紙１としての長尺紙は、所望長さの紙片に引裂き可能であり、図例ではロール巻きされている台紙１のロールにミシン線４を形成してそのミシン線４の形成箇所で容易に引き裂くことができるような対策を講じてある。
【００１１】
この粘着シートにおいて、粘着層２は水溶性糊の層でなる。水溶性糊にはたとえばアクリルエマルジョン系の糊を好適に用いることができ、このものは再剥離性を有している。したがって、図１に示した粘着シートにおいて、長尺紙の重なり部分では当該長尺紙の表面に当該長尺紙の裏面の上記粘着層２が剥離可能に粘着している。
【００１２】
この実施形態において、長尺紙がロール巻きされている紙管３を手動操作具の支持杆（不図示）に回転自在に取り付け、その手動操作具を手で持ってロール状の台紙１を床面などの上で転動させると、床面などに付着している塵芥、たとえば毛髪やペットの抜け毛、その他の微細な塵芥が台紙１の裏面に形成されている粘着層２によって付着捕集される。また、上記台紙１やその台紙１から引き裂いて得られる紙片の粘着層２を手で持って床面に押し付けたり衣類や人体の皮膚に押し付けたりすることによっても、それらに付着している塵芥や花粉を付着捕集させることが可能である。
【００１３】
この場合に、衣類や床面、人体の皮膚などに粘着層２の一部が剥がれずに残ったとしても、その残留粘着層は人体に無害な水溶性糊であるために、その残留粘着層が人体に悪影響を及ぼすおそれはなく、また、布などを水で湿らせて拭き取ることも容易に可能である。さらに、台紙１の塵芥が付着した部分を引き裂いてそれを使用済み粘着シートとして焼却処分しても黒煙などの有害成分が発生しない。
【００１４】
図２は本考案に係る塵芥捕集用粘着シートの第２実施形態を示した概略斜視図である。この事例の粘着シートは主に花粉取りのために特化したものであり、台紙１が定形（具体的には矩形）の紙片でなり、その紙片の裏面全体に上記同様の水溶性糊の層でなる粘着層２を形成してある。また、紙片の表面に他の紙片でなる上記台紙１の裏面の上記粘着層２を剥離可能に粘着させることによって複数枚の粘着シートの積重ね束５を形成してある。
【００１５】
この積重ね束５から、裏面に粘着層２を有する紙片としての台紙１を引き剥がしてそれを衣類や人体の皮膚に押し付けると、それらに付着している塵芥や花粉が台紙１の裏面の粘着層２によって付着捕集される。この粘着シートにおいても、粘着層２が人体に無害な水溶性糊の層でなるので、人体の皮膚などに粘着層２の一部が剥がれずに残ったとしても、その残留粘着層が人体に悪影響を及ぼすおそれはなく、また、布などを水で湿らせて拭き取ることも容易に可能である。さらに、使用済み粘着シートを焼却処分しても黒煙などの有害成分が発生しない。
【図面の簡単な説明】
【００１６】
【図１】本考案に係る塵芥捕集用粘着シートの第１実施形態を示した概略斜視図である。
【図２】本考案に係る塵芥捕集用粘着シートの第２実施形態を示した概略斜視図である。
【符号の説明】
【００１７】
１  台紙
２  粘着層
３  紙管
【図１】
0003124103.tif 000003
【図２】
0003124103.tif 000004